(57)【要約】【課題】マスカラや、アイライナー又は、リップグロス等を詰め替えて使用することができるとともに所望の化粧品のみを選択し一つの構成品のセットで携帯できるデュアルタイプリフィル容器が開示される。【解決手段】本考案におけるデュアルタイプリフィル容器は筒形状の本体部両側に嵌め込み部が形成され、嵌め込み部には挿入固定される蓋と、蓋に一体に形成されるスティックと、蓋にネジ結合される顔料容器で構成された一対のリフィル部が結合される。ここで、嵌め込み部の内壁面上には一つ以上の案内溝が形成され、蓋の外壁面上には案内溝に対応する案内突起が形成され顔料容器を回転させるとき、蓋が嵌め込み部から共に回転し離脱されることを防止する。また、嵌め込み部の入り口側に隣接した内周面上にはリング形状にくぼむように凹溝が形成されて、蓋の外周面上には凹溝に対応する係合リングが形成され蓋を嵌め込み部に一旦装着すれば凹溝と係合リングの嵌合結合によりしっかりと抜け落ちないようにする。【選択図】図１
0003134864.tif 000002
【実用新案登録請求の範囲】
【請求項１】
筒形状の本体部（１１０）両側に嵌め込み部（１１２）が形成され、前記嵌め込み部（１１２）に挿入固定される蓋（１３２）と、前記蓋（１３２）に一体で形成されたスティック（１１３）と、前記蓋（１３２）にネジ結合される顔料容器（１３１）とからなる一対のリフィル部（１３０）が結合されていることを特徴とするデュアルタイプリフィル容器。
【請求項２】
前記嵌め込み部（１１２）の内壁面上には一つ以上の案内溝（１１３）が形成され、前記蓋（１３２）の外壁面上には前記案内溝（１１３）に対応する案内突起（１３４）が形成されていることを特徴とする請求項１に記載のデュアルタイプリフィル容器。
【請求項３】
前記嵌め込み部（１１２）の入り口側に隣接した内周面上にはリング形状に窪むように凹溝（１１５）が形成され、前記蓋（１３２）の外周面上には前記凹溝（１１５）に対応する係合リング（１３６）が形成されていることを特徴とする請求項１に記載のデュアルタイプリフィル容器。
【請求項４】
前記本体部（１１０）の中央には両側の嵌め込み部（１１２）を２等分する仕切り（１１１）が一体に形成されていることを特徴とする請求項１に記載のデュアルタイプリフィル容器。
【考案の詳細な説明】
【技術分野】
【０００１】
本考案はデュアルタイプリフィル容器に関するもので、特にマスカラや、アイライナー又は、リップグロス等を詰替えて使用できると共に所望の化粧品のみを選択しセットで携帯できるデュアルタイプリフィル容器に関するものである。
【背景技術】
【０００２】
一般的にローション、肌用化粧品から色調化粧品に至るまでほとんどすべての化粧品はリフィルが可能なように製作されてきた。
【考案の開示】
【考案が解決しようとする課題】
【０００３】
しかし、ただ一つマスカラ、アイライナー又はリップグロス等はリフィル容器が開発されていないのが実状である。
【０００４】
反面、マスカラ、アイライナー、リップグロス等は一つの化粧品容器に一つの化粧品だけを詰めて携帯しなければならない問題点もあった。即ち、顔料が内蔵された容器の開放された上部に蓋が結合されて蓋には顔料をつけられるスティックが装着されているスタイルが大部分であった。
【課題を解決するための手段】
【０００５】
本考案は前記のような問題点を解決するために考案されたもので、本考案の目的は基本的に、リフィル化できなかったマスカラ、アイライナー、リップグロスをリフィル化して、各々の化粧品を一つのセットで携帯できるように構成させたデュアルタイプリフィル容器を提供することにある。
【考案の効果】
【０００６】
本考案におけるデュアルタイプリフィル容器は、一つの化粧品セットに一つまたは二つを包含して携帯することができ、空間活用価値が高いという利点がある。
【０００７】
また、それぞれの化粧品を詰め替えて使用することができるため経済的であるという利点がある。
【考案を実施するための最良の形態】
【０００８】
以下、図面を参照して本考案の最良の実施形態を説明するが、当該技術分野の当業者は実用新案登録請求の範囲に記載された本考案の技術的思想および領域から外れない範囲内で本考案を種々修正および変更させることができる。
【０００９】
前記のような目的を達成するため本考案は、
筒形状の本体部両側に嵌め込み部が形成され、嵌め込み部に挿入固定される蓋と、蓋に一体で形成されたスティックと、蓋にねじ結合される顔料容器でなる一対のリフィル部が結合されていることを特徴とするデュアルタイプリフィル容器を提供する。
【００１０】
ここで、嵌め込み部の内壁面上には一つ以上の案内溝が形成され、蓋の外壁面上には案内溝に対応する案内突起が形成されていることが望ましい。
【００１１】
また、嵌め込み部の入り口側に隣接した内周面上にはリング形状にくぼむように凹溝が形成され、蓋の外周面上には凹溝に対応する係合リングが形成されていることが望ましい。
【実施例１】
【００１２】
以下、添付された図面を参照して本考案の望ましい実施例に従ったデュアルタイプリフィル容器について説明する。
【００１３】
図１は、本考案におけるデュアルタイプリフィル容器を示した正面図であり、そして図２は、図１のデュアルタイプリフィル容器から一つのリフィル部を分離させ内部を図示した正面図である。
【００１４】
図１および図２を参照すると、本考案におけるデュアルタイプリフィル容器（１００）は、本体部（１１０）と、前記本体部（１１０）の両側にリフィル部（１３０)が構成されたものを含む。
【００１５】
本体部（１１０）は中央に仕切り（１１１）が形成された円筒形状で、仕切り（１１１）の両側には所定の挿入空間をもつ嵌め込み部（１１２）が形成されている。
【００１６】
各々の嵌め込み部（１１２）にはその内壁面上に多数の案内溝（１１３）が長さ方向に形成されており、仕切り（１１１）側の壁面上には多数の嵌合溝（１１４）が等間隔の円形配列で形成されている。そして各嵌め込み部（１１２）の入り口側にはリング形状にくぼむように溝が刻設された凹溝（１１５）が形成されている。
【００１７】
反面、本体部（１１０）の両側に同一の構成をもちながら対称になるように結合されるリフィル部（１３０）は、各々同一の顔料容器（１３１）と、蓋（１３２）とからなる構成を有している。
【００１８】
顔料容器（１３１）はその一側に開放された入り口が形成され、入り口側外周面上には蓋（１３２）とねじ結合されるための雄ねじ（１３１'）が形成されている。
【００１９】
蓋（１３２）は顔料容器（１３１）にねじ結合されるため、雄ねじ（１３１'）に対応する形状をもつ雌ねじ（図示省略）がその内周面上に形成され、該蓋の中心側方向には、顔料容器（１３１）内へ挿入され顔料内に差し入れては取り出すためのスティック（１３３）が一体に形成されている。
【００２０】
このような蓋（１３２）は嵌め込み部（１１２）に挿入されることで、嵌め込み部（１１２）の内壁面上に形成された案内溝（１１３）に対応する案内突起（１３４）が外周面上に長さ方向に形成され、蓋（１３２）の上端には仕切り（１１１）の壁面上に形成された嵌合溝（１１４）に対応する嵌合突起（１３５）がこれと対応するように形成される。また、蓋（１３２）の下端部には嵌め込み部１１２に形成された凹溝１１５に対応する係合リング１３６が一体に形成され蓋１３２が嵌め込み部１１２に挿入された後に離脱されることを抑制させる役割を遂行する。
【００２１】
ここで、案内突起（１３４）および案内溝（１１３）は本考案のデュアルタイプリフィル容器（１００）を使用するときに顔料容器（１３１）を回転させ蓋（１３２）から離脱させるときに、蓋（１３２）が嵌め込み部（１１２）から一緒に回りながら離脱することを防止するためのものである。
【００２２】
下記には前述したものと同様に形成されたデュアルタイプリフィル容器（１００）の使用状態を簡略的に説明する。
【００２３】
まず、本考案におけるデュアルタイプリフィル容器（１００）は顔料をすべて使用しきったならば、リフィル部（１３０）だけを購入し交換することができる。もちろん顔料だけでなくスティック（１３３）がすべてきれたとしても交換し使用することができるであろう。
【００２４】
そして本考案におけるデュアルタイプリフィル容器（１００）は本体部（１１０）の一側の嵌め込み部（１１２）には例えばマスカラリフィル部を嵌め込み使用して、本体部（１１０）の他側の嵌め込み部（１１２）にはアイライナーリフィル部を嵌め込み使用することもできる。または、幾つかの場合の数を考慮し使用者の趣向に従いセッティングし携帯することができるであろう。
【図面の簡単な説明】
【００２５】
【図１】図１は本考案におけるデュアルタイプリフィル容器を示す正面図である。
【図２】図２は図１に図示されたデュアルタイプリフィル容器の一つのリフィル部を離脱させ一部分の内部が透視されるよう図示した正面図である。
【図３】図３は図２で離脱させた一つのリフィル部をさらに分離し図示した正面図である。
【符号の説明】
【００２６】
１００  ：  デュアルタイプリフィル容器
１１０  ：  本体部
１１１  ：  仕切り
１１２  ：  嵌め込み部
１１３  ：  案内溝
１１４  ：  嵌合溝
１１５  ：  凹溝
１３０  ：  リフィル部
１３１  ：  顔料容器
１３２  ：  蓋
１３３  ：  スティック
１３４  ：  案内突起
１３５  ：  嵌合突起
１３６  ：  係合リング
【図１】
0003134864.tif 000003
【図２】
0003134864.tif 000004
【図３】
0003134864.tif 000005